(57)【特許請求の範囲】
【請求項１】
発電設備群および負荷設備群の少なくともいずれかの設備群を備えるとともに電力供給源に系統連系される所内系統の電力潮流の変動を、所定期間の電力の経時変化を示す電力変化曲線情報を用いて予測する電力変動予測システムであって、
過去の前記設備群毎の電力変化曲線情報である過去電力変化曲線情報が複数本格納された過去電力変化曲線情報データベースと、
予測日時に関する外部環境データが入力される外部環境データ入力部と、
前記設備群毎に前記過去電力変化曲線情報データベースから予測日時に類似する運転条件を有する過去電力変化曲線情報である類似電力変化曲線情報を複数本抽出し、この複数本の類似電力変化曲線情報のそれぞれを前記外部環境データで補正して、前記設備群毎に複数本の設備群電力変化曲線情報を作成する設備群電力変化曲線情報作成部と、
異なる設備群に存在する設備群電力変化曲線情報同士を加算して、複数本の第１の所内系統電力変化曲線情報を作成する所内系統電力変化曲線情報作成部と、
前記複数本の第１の所内系統電力変化曲線情報の電力の平均値と標準偏差値を求め、前記電力の平均値からなる第１の所内系統平均電力変化曲線情報を電力潮流の増加側および減少側に前記標準偏差値分だけそれぞれシフトさせて第１の所内系統増加側電力変化曲線情報および第１の所内系統減少側電力変化曲線情報を作成し、この第１の所内系統増加側電力変化曲線情報および第１の所内系統減少側電力変化曲線情報を予測日時の所定時の電力値からの偏差を示すように変換して第１の増加側電力変化曲線情報および第１の減少側電力変化曲線情報を作成する第１の増減側電力変化曲線情報作成部と、
第１の増加側電力変化曲線情報および第１の減少側電力変化曲線情報から算出される、前記予測日時の所定時の電力値からの電力変動の最大変化幅および電力変動の最大変化率の少なくともいずれかのデータを算出する電力変動情報作成部とを備えることを特徴とする電力変動予測システム。
【請求項２】
前記第１の増減側電力変化曲線情報作成部は、さらに、前記複数本の第１の所内系統電力変化曲線情報群のそれぞれを予測日時の所定時の電力値からの偏差を示すように変換して、複数本の第２の所内系統電力変化曲線情報を作成し、
前記電力変動情報作成部は、前記複数本の第２の所内系統電力変化曲線情報中から、電力変動が最大振幅になる第２の所内系統電力変化曲線情報の振動変化形状データ、および電力変動が最大振幅になる第２の所内系統電力変化曲線情報のパルス変化形状データの少なくともいずれかのデータをさらに抽出することを特徴とする請求項１に記載の電力変動予測システム。
【請求項３】
前記電力変動情報作成部は、前記第１の所内系統電力変化曲線情報群中の第１の所内系統電力変化曲線情報の重なり度合いに応じて、各第１の所内系統電力変化曲線情報の発生確率を算出することを特徴とする請求項１に記載の電力変動予測システム。
【請求項４】
前記設備群電力変化曲線情報作成部は、前記類似電力変化曲線情報と、前記外部環境データに基づき予測日時以後の運転条件を推定して算出した補正電力変化曲線情報とを、この補正電力変化曲線情報を優先的に採用する合成を行なって、前記設備群電力変化曲線情報を作成することを特徴とする請求項１に記載の電力変動予測システム。
【請求項５】
前記設備群電力変化曲線情報作成部は、前記外部環境データをニューラルネットワーク処理して前記補正電力変化曲線情報を作成することを特徴とする請求項４に記載の電力変動予測システム。
【請求項６】
前記所内系統を構成する発電設備群は、ディーゼル発電機を含み、
前記ディーゼル発電機の個々の稼動状態の経時変化を示す追従性モデル情報が格納された追従性モデル情報データベースと、
前記追従性モデル情報データベース中の追従性モデル情報に基づき、前記所内系統の全ディーゼル発電機の稼動状態の経時変化を推定して追従性情報を作成する電源追従性推定部とをさらに備え、
前記設備群電力変化曲線情報作成部は、前記発電設備群の設備群電力変化曲線情報を、さらに前記追従性情報で補正することを特徴とする請求項１に記載の電力変動予測システム。
【請求項７】
前記所内系統の電力潮流の運用制約条件データが格納された運用制約条件データベースと、
前記所内系統の全ての設備の仕様と配置を示す機器構成情報が格納される機器構成情報データベースと、
前記運用制約条件データと、前記機器構成情報と、前記第１の増加側電力変化曲線情報と、前記第１の減少側電力変化曲線情報とに基づき、前記所内系統の電力潮流のシミュレーションを行ない、前記所内系統の電力潮流が前記運用制約条件データに記載される運用制約条件を越える確率を運用リスク値として算出する運用リスク値算出部とをさらに備えることを特徴とする請求項１に記載の電力変動予測システム。
【請求項８】
前記所内系統の電力潮流の運用制約条件データが格納された運用制約条件データベースと、
前記運用制約条件データに基づき算出される電力供給の上限値と前記負荷設備群の第１の増加側電力変化曲線情報との間の差分、および、前記運用制約条件データに基づき算出される電力消費の上限値と前記発電設備群の第１の増加側電力変化曲線情報との間の差分、の少なくともいずれかを電力の余裕度として算出する余裕度算出部とをさらに備えることを特徴とする請求項１に記載の電力変動予測システム。
【請求項９】
表示部をさらに備えることを特徴とする請求項１に記載の電力変動予測システム。
【請求項１０】
警報手段をさらに備えることを特徴とする請求項１に記載の電力変動予測システム。
【請求項１１】
発電設備群および負荷設備群の少なくともいずれかの設備群を備えるとともに電力供給源に系統連系される所内系統の電力潮流の変動を、所定期間の電力の経時変化を示す電力変化曲線情報を用いて予測する電力変動予測システムであって、
過去の前記設備群毎の電力変化曲線情報である過去電力変化曲線情報が複数本格納された過去電力変化曲線情報データベースと、
予測日時に関する外部環境データが入力される外部環境データ入力部と、
前記設備群毎に前記過去電力変化曲線情報データベースから予測日時に類似する運転条件を有する過去電力変化曲線情報である類似電力変化曲線情報を複数本抽出し、この複数本の類似電力変化曲線情報のそれぞれを前記外部環境データで補正して、前記設備群毎に複数本の設備群電力変化曲線情報を作成する設備群電力変化曲線情報作成部と、
前記設備群電力変化曲線情報から、前記設備群毎の時刻に対する稼働状況を示す運転パターンを作成する運転パターン作成部と、
前記運転パターンに記載された設備の稼動状況に基づいて前記所内系統の電力変動のシミュレーションを行ない、予測日時の所定時の電力値からの電力増加側の電力変動の最大値を示す第２の増加側電力変化曲線情報と、予測日時の所定時の電力値からの電力減少側の電力変動の最大値を示す第２の減少側電力変化曲線情報とを作成する第２の増減側電力変化曲線情報作成部と、
第２の増加側電力変化曲線情報および第２の減少側電力変化曲線情報から前記予測日時の所定時の電力値からの電力変動の最大変化幅を算出する電力変動情報作成部とを備えることを特徴とする電力変動予測システム。
【請求項１２】
前記所内系統の電力潮流の運用制約条件データが格納された運用制約条件データベースと、
前記所内系統の全ての設備の仕様と配置を示す機器構成情報が格納される機器構成情報データベースと、
前記運用制約条件データと、前記機器構成情報と、前記第２の増加側電力変化曲線情報と、前記第２の減少側電力変化曲線情報とに基づき、前記所内系統の電力潮流のシミュレーションを行ない、前記所内系統の電力潮流が前記運用制約条件データに記載される運用制約条件を越える確率を運用リスク値として算出する運用リスク値算出部とをさらに備えることを特徴とする請求項１１に記載の電力変動予測システム。
【請求項１３】
前記所内系統の電力潮流の運用制約条件データが格納された運用制約条件データベースと、
前記運用制約条件データに基づき算出される電力供給の上限値と前記負荷設備群の第２の増加側電力変化曲線情報との間の差分、および、前記運用制約条件データに基づき算出される電力消費の上限値と前記発電設備群の第２の増加側電力変化曲線情報との間の差分、の少なくともいずれかを電力の余裕度として算出する余裕度算出部とをさらに備えることを特徴とする請求項１１に記載の電力変動予測システム。
【請求項１４】
表示部をさらに備えることを特徴とする請求項１１に記載の電力変動予測システム。
【請求項１５】
警報手段をさらに備えることを特徴とする請求項１１に記載の電力変動予測システム。
【請求項１６】
発電設備群および負荷設備群の少なくともいずれかの設備群を備えるとともに電力供給源に系統連系される所内系統の電力潮流の変動を、所定期間の電力の経時変化を示す電力変化曲線情報を用いて予測する電力変動予測システムであって、
前記所内系統の全ての設備の仕様と配置を示す機器構成情報が格納される機器構成情報データベースと、
前記機器構成情報に記載された設備から電力変動が最大になる設備を設備群毎に選択し、この設備の電力変動のシミュレーション結果に基づいて前記所内系統の電力変動のシミュレーションを行ない、予測日時の所定時の電力値からの電力増加側の電力変動の最大値を示す第３の増加側電力変化曲線情報と、予測日時の所定時の電力値からの電力減少側の電力変動の最大値を示す第３の減少側電力変化曲線情報とを作成する第３の増減側電力変化曲線情報作成部と、
第３の増加側電力変化曲線情報および第３の減少側電力変化曲線情報から前記予測日時の所定時の電力値からの電力変動の最大変化幅を算出する電力変動情報作成部とを備えることを特徴とする電力変動予測システム。
【請求項１７】
前記所内系統の電力潮流の運用制約条件データが格納された運用制約条件データベースと、
前記運用制約条件データと、前記機器構成情報と、前記第３の増加側電力変化曲線情報と、前記第３の減少側電力変化曲線情報とに基づき、前記所内系統の電力潮流のシミュレーションを行ない、前記所内系統の電力潮流が前記運用制約条件データに記載される運用制約条件を越える確率を運用リスク値として算出する運用リスク値算出部とをさらに備えることを特徴とする請求項１６に記載の電力変動予測システム。
【請求項１８】
前記所内系統の電力潮流の運用制約条件データが格納された運用制約条件データベースと、
前記運用制約条件データに基づき算出される電力供給の上限値と前記負荷設備群の第３の増加側電力変化曲線情報との間の差分、および、前記運用制約条件データに基づき算出される電力消費の上限値と前記発電設備群の第３の増加側電力変化曲線情報との間の差分、の少なくともいずれかを電力の余裕度として算出する余裕度算出部とをさらに備えることを特徴とする請求項１６に記載の電力変動予測システム。
【請求項１９】
表示部をさらに備えることを特徴とする請求項１６に記載の電力変動予測システム。
【請求項２０】
警報手段をさらに備えることを特徴とする請求項１６に記載の電力変動予測システム。
【発明の詳細な説明】
【技術分野】
【０００１】
本発明は、所内系統の潮流管理・需給管理のための電力変動予測システムに関し、詳しくは、所内系統の電力負荷設備の負荷量や発電設備の発電量の変動の予測情報を得ることが可能な電力変動予測システムに関する。
【背景技術】
【０００２】
工場や高層ビル等の所内系統には、電力会社との契約電力量等の受電契約条件を踏まえた厳密な需給管理・制御が要求されている。
【０００３】
所内系統は、需給管理・制御が十分でないと、所内系統の設備の運用にリスクが生じる。たとえば、所内系統で複数の電力負荷設備が一斉に出力を増加すると、契約電力を超え、遮断機が作動して全停電が生じたり、所内系統の潮流の過渡現象により、ディーゼル発電機等の自家発電用分散電源がトリップ（脱調現象）を起こしたりするリスクがある。
【０００４】
また、所内系統の需要家は、電力会社以外の電力小売事業者から電力を購入する場合、同時同量制約条件を満足する運用が必要になる。ここで同時同量制約条件とは、ある一定時間内の需要家の受電電力と電力小売事業者の送電電力との誤差積算値が許容範囲内になければならないという制約条件である。需要家は、同時同量制約条件を満たす所内系統の運用を行なう必要がある。
【０００５】
さらに、需要家は、環境対策等の観点から風力発電、太陽光発電等の自然エネルギー電源の導入を進めているが、自然エネルギー電源を用いる場合は、厳密な発電量の管理・制御が必要になる。たとえば、風力発電機や太陽光発電機は、風況変動や日射量の変動により発電量が大きく変動するため、潮流の過渡現象により遮断機が作動したり自家発電設備がトリップしたりするおそれがある。
【０００６】
このように、近年、受電契約条件の複雑化、同時同量制約条件の遵守、自然エネルギー電源の導入等の理由から、需要家の所内系統における潮流の管理が重要になってきている。
【０００７】
需要家の所内系統における潮流を管理するシステム等としては、下記特許文献に開示されたものが知られている。
【０００８】
特開２００５−１９８４２３号公報（特許文献１）には、複数の需要家からなり分散電源を所有する需要家を含む需要家グループの電力需要データを格納する電力需要データ格納部と、需要家グループの分散電源に対する発電出力指令値を算出する出力指令値算出部とを有するエネルギーマネージメントシステム（電力管理システム）が開示されている。
【０００９】
特開２００３−９２８３４号公報（特許文献２）には、受電電力値および供給電力値間の電力損失率を考慮した制御偏差を算出する偏差算出手段と、算出された制御偏差を用いて発電設備の発電調整量を算出する発電調整量算出手段と、発電調整量を用いて発電設備の発電出力を制御する発電出力制御手段とを備える同時同量制御装置が開示されている。
【００１０】
特開２００４−３２８９０７号公報（特許文献３）には、需要設備に対して供給される託送電力を計測時間区間毎に需要設備毎に計測して得られた需要実績値に基づき、需要設備毎の需要を表現する指標値を取得する需要指標値取得ステップと、需要設備毎に得られた指標値の総和を電力会社の送電設備を含むゾーン毎に計算するゾーン需要計算ステップを含む託送電力の需要予測方法が開示されている。
【特許文献１】特開２００５−１９８４２３号公報
【特許文献２】特開２００３−９２８３４号公報
【特許文献３】特開２００４−３２８９０７号公報
【発明の開示】
【発明が解決しようとする課題】
【００１１】
特許文献１に開示された電力管理システムは、電力の急変により、遮断機作動や自家発電設備のトリップなどの運用上の問題が生じるおそれがある。
【００１２】
特許文献２に開示された同時同量制御装置は、負荷の急変により、遮断機作動や自家発電設備のトリップなどの運用上の問題が生じるおそれがある。
【００１３】
特許文献３に開示された託送電力の需要予測方法は、負荷遮断などの需給量の急変により、遮断機作動や自家発電設備のトリップなどの運用上の問題が生じるおそれがある。
【００１４】
本発明は、上記事情に鑑みてなされたものであり、発電電力や負荷等の急変に対応可能な電力変動予測をすることができる電力変動予測システムを提供することを目的とする。
【課題を解決するための手段】
【００１５】
本発明に係る電力変動予測システムは、上記問題点を解決するものであり、発電設備群および負荷設備群の少なくともいずれかの設備群を備えるとともに電力供給源に系統連系される所内系統の電力潮流の変動を、所定期間の電力の経時変化を示す電力変化曲線情報を用いて予測する電力変動予測システムであって、過去の前記設備群毎の電力変化曲線情報である過去電力変化曲線情報が複数本格納された過去電力変化曲線情報データベースと、予測日時に関する外部環境データが入力される外部環境データ入力部と、前記設備群毎に前記過去電力変化曲線情報データベースから予測日時に類似する運転条件を有する過去電力変化曲線情報である類似電力変化曲線情報を複数本抽出し、この複数本の類似電力変化曲線情報のそれぞれを前記外部環境データで補正して、前記設備群毎に複数本の設備群電力変化曲線情報を作成する設備群電力変化曲線情報作成部と、異なる設備群に存在する設備群電力変化曲線情報同士を加算して、複数本の第１の所内系統電力変化曲線情報を作成する所内系統電力変化曲線情報作成部と、前記複数本の第１の所内系統電力変化曲線情報の電力の平均値と標準偏差値を求め、前記電力の平均値からなる第１の所内系統平均電力変化曲線情報を電力潮流の増加側および減少側に前記標準偏差値分だけそれぞれシフトさせて第１の所内系統増加側電力変化曲線情報および第１の所内系統減少側電力変化曲線情報を作成し、この第１の所内系統増加側電力変化曲線情報および第１の所内系統減少側電力変化曲線情報を予測日時の所定時の電力値からの偏差を示すように変換して第１の増加側電力変化曲線情報および第１の減少側電力変化曲線情報を作成する第１の増減側電力変化曲線情報作成部と、第１の増加側電力変化曲線情報および第１の減少側電力変化曲線情報から算出される、前記予測日時の所定時の電力値からの電力変動の最大変化幅および電力変動の最大変化率の少なくともいずれかのデータを算出する電力変動情報作成部とを備えることを特徴とする。
【００１６】
また、本発明に係る電力変動予測システムは、上記問題点を解決するものであり、発電設備群および負荷設備群の少なくともいずれかの設備群を備えるとともに電力供給源に系統連系される所内系統の電力潮流の変動を、所定期間の電力の経時変化を示す電力変化曲線情報を用いて予測する電力変動予測システムであって、過去の前記設備群毎の電力変化曲線情報である過去電力変化曲線情報が複数本格納された過去電力変化曲線情報データベースと、予測日時に関する外部環境データが入力される外部環境データ入力部と、前記設備群毎に前記過去電力変化曲線情報データベースから予測日時に類似する運転条件を有する過去電力変化曲線情報である類似電力変化曲線情報を複数本抽出し、この複数本の類似電力変化曲線情報のそれぞれを前記外部環境データで補正して、前記設備群毎に複数本の設備群電力変化曲線情報を作成する設備群電力変化曲線情報作成部と、前記設備群電力変化曲線情報から、前記設備群毎の時刻に対する稼働状況を示す運転パターンを作成する運転パターン作成部と、前記運転パターンに記載された設備の稼動状況に基づいて前記所内系統の電力変動のシミュレーションを行ない、予測日時の所定時の電力値からの電力増加側の電力変動の最大値を示す第２の増加側電力変化曲線情報と、予測日時の所定時の電力値からの電力減少側の電力変動の最大値を示す第２の減少側電力変化曲線情報とを作成する第２の増減側電力変化曲線情報作成部と、第２の増加側電力変化曲線情報および第２の減少側電力変化曲線情報から前記予測日時の所定時の電力値からの電力変動の最大変化幅を算出する電力変動情報作成部とを備えることを特徴とする。
【００１７】
さらに、本発明に係る電力変動予測システムは、上記問題点を解決するものであり、発電設備群および負荷設備群の少なくともいずれかの設備群を備えるとともに電力供給源に系統連系される所内系統の電力潮流の変動を、所定期間の電力の経時変化を示す電力変化曲線情報を用いて予測する電力変動予測システムであって、前記所内系統の全ての設備の仕様と配置を示す機器構成情報が格納される機器構成情報データベースと、前記機器構成情報に記載された設備から電力変動が最大になる設備を設備群毎に選択し、この設備の電力変動のシミュレーション結果に基づいて前記所内系統の電力変動のシミュレーションを行ない、予測日時の所定時の電力値からの電力増加側の電力変動の最大値を示す第３の増加側電力変化曲線情報と、予測日時の所定時の電力値からの電力減少側の電力変動の最大値を示す第３の減少側電力変化曲線情報とを作成する第３の増減側電力変化曲線情報作成部と、第３の増加側電力変化曲線情報および第３の減少側電力変化曲線情報から前記予測日時の所定時の電力値からの電力変動の最大変化幅を算出する電力変動情報作成部とを備えることを特徴とする。
【発明の効果】
【００１８】
本発明に係る電力変動予測システムによれば、発電電力や負荷等の急変に対応可能な電力変動予測をすることができる。
【発明を実施するための最良の形態】
【００１９】
［第１の実施形態］
本発明に係る電力変動予測システムの第１の実施形態につき図面を参照して説明する。図１は、本発明に係る電力変動予測システムが用いられる所内系統の一例を示す図である。
【００２０】
図１に示す所内系統１０は、図示しない発電所等の電力供給源を有する電力会社の系統５に受電点１１を介して系統連系される。受電点１１には遮断機１２を介して所内系統母線１３が接続され、所内系統母線１３には遮断機１５を介してサブ母線２１ａ、２１ｂが接続される。
【００２１】
所内系統母線１３には、それぞれ遮断機１５を１個以上介して電力負荷設備１４ａ、１４ｂ、１４ｃ、１４ｄ、１４ｅ、１４ｆが接続される。所内系統１０に存在する全ての電力負荷設備１４ａ、１４ｂ、１４ｃ、１４ｄ、１４ｅ、１４ｆにより、負荷設備群が構成される。
【００２２】
所内系統母線１３には、ＮＡＳ電池等の電力貯蔵設備２２がさらに接続される。所内系統１０に存在する全ての電力貯蔵設備である電力貯蔵設備２２により、電力貯蔵設備群が構成される。
【００２３】
サブ母線２１ａには、出力制御装置１８を介して風力発電設備１７が接続されるとともに、出力制御装置２０を介して太陽光発電設備１９が接続される。
【００２４】
サブ母線２１ｂには、自家発電設備としてのディーゼル発電機２３ａ、２３ｂが接続される。ディーゼル発電機２３ａ、２３ｂには、本発明に係る電力変動予測システム１が接続される。
【００２５】
所内系統１０に存在する全ての発電設備である風力発電設備１７、太陽光発電設備１９、ディーゼル発電機２３ａ、ディーゼル発電機２３ｂにより、発電設備群が構成される。
【００２６】
図２は、本発明に係る電力変動予測システムの第１の実施形態１の機能ブロック図である。
【００２７】
電力変動予測システム１は、外部環境データ入力部３２と、過去電力変化曲線情報データベース３１と、追従性モデル情報データベース３３と、運用制約条件データベース３５と、機器構成情報データベース３６と、所内系統電力潮流推定部５１と、表示部５７と、警報手段５８とを備える。
【００２８】
外部環境データ入力部３２は、予測日時に関する気象情報等の外部環境データが入力される。予測日時とは、電力変動予測システム１で予測する対象の日時を意味する。たとえば、火曜日の電力潮流の変動の予測を月曜日に行なう場合、予測日時は火曜日である。
【００２９】
気象情報としては、たとえば、気温、湿度、降水量、風力、日照量および天気の種類等が挙げられる。天気の種類としては、晴れ、曇り、雨、雪等が挙げられる。
【００３０】
外部環境データは、予測日時に関するものであればよく、予測日時に実際に測定または観測される情報に加え、予測日時に予測される情報であってもよい。予測日時に予測される情報としては、天気予報で得られる気温、降水量、風力、日照量および天気の種類等が挙げられる。
【００３１】
過去電力変化曲線情報データベース３１には、所定期間の電力の経時変化を示す電力変化曲線情報のうち、過去の設備群毎の電力変化曲線情報である過去電力変化曲線情報からなる過去電力変化曲線情報群が格納される。
【００３２】
電力変化曲線情報は、たとえば、時間軸と電力値の軸とからなる座標に曲線で表され、１日等の所定期間で区切られた情報になっている。
【００３３】
過去電力変化曲線情報は、予測日時に対して過去に作成された電力変化曲線情報であり、設備群毎に作成される。ここで、設備群とは、負荷設備群、発電設備群または電力貯蔵設備群の区別を表す。
【００３４】
所内系統１０は、負荷設備群、発電設備群および電力貯蔵設備群を備えるため、過去電力変化曲線情報は、負荷設備群、発電設備群および電力貯蔵設備群のそれぞれについて作成される。
【００３５】
過去電力変化曲線情報は、設備群毎に、複数個作成されて、過去電力変化曲線情報群を構成する。過去電力変化曲線情報群は、負荷設備群、発電設備群および電力貯蔵設備群のそれぞれについて作成される。
【００３６】
追従性モデル情報データベース３３には、追従性モデル情報が格納される。追従性モデル情報は、ディーゼル発電機２３ａ、２３ｂの個々の稼動状態の経時変化を示す情報である。
【００３７】
追従性モデル情報は、たとえば、時間軸と発電量の軸とからなる座標に曲線で描かれるごとき情報であり、停止状態から起動するときに○秒で最大出力に達する等の発電量の過渡特性に関する情報を含む。
【００３８】
追従性モデル情報は、ディーゼル発電機２３ａ、２３ｂの仕様の違いにより異なるため、ディーゼル発電機２３ａ、２３ｂのそれぞれについて作成されている。
【００３９】
運用制約条件データベース３５には、所内系統１０の電力潮流の運用制約条件データが格納される。運用制約条件データとは、所内系統１０の各設備の運用制約条件に関するデータである。
【００４０】
機器構成情報データベース３６には、所内系統の全ての設備の仕様と配置を示す機器構成情報が格納される。
【００４１】
（所内系統電力潮流推定部）
所内系統電力潮流推定部５１は、過去電力変化曲線情報検索手段としての検索エンジン４５と、負荷設備群の設備群電力変化曲線情報作成部である負荷設備群電力変化曲線情報作成部４１と、発電設備群の設備群電力変化曲線情報作成部である発電設備群電力変化曲線情報作成部４２と、電源追従性推定部４３と、所内系統電力変化曲線情報作成部５２と、第１の増減側電力変化曲線情報作成部５３と、電力変動情報作成部５４と、運用リスク値算出部５５と、余裕度算出部５６とを備える。
【００４２】
過去電力変化曲線情報検索手段としての検索エンジン４５は、過去電力変化曲線情報データベース３１から、設備群毎に類似電力変化曲線情報を複数本抽出する。ここで類似電力変化曲線情報とは、過去電力変化曲線情報データベース３１中に格納された過去電力変化曲線情報のうち、予測日時に類似する運転条件を有するものを意味する。
【００４３】
予測日時に類似する運転条件とは、季節、月、曜日、気温等が類似する運転条件を意味する。所定の抽出条件は、季節、月、曜日、気温等の項目で任意に設定する。たとえば、電力変動予測システム１の予測日時が８月の第１月曜日で最高気温が３３℃であれば、所定の抽出条件は過去の８月の全ての月曜日で最高気温が３０℃以上の日と設定する。
【００４４】
過去電力変化曲線情報データベース３１中から抽出された複数本の類似電力変化曲線情報の集合体は類似電力変化曲線情報群を形成する。
【００４５】
所内系統電力潮流推定部５１は、設備群毎に複数本の設備群電力変化曲線情報を作成する設備群電力変化曲線情報作成部として、負荷設備群電力変化曲線情報作成部４１と、発電設備群電力変化曲線情報作成部４２とを備える。
【００４６】
負荷設備群電力変化曲線情報作成部４１は、過去電力変化曲線情報データベース３１から抽出した負荷設備群の複数本の類似電力変化曲線情報のそれぞれを、外部環境データ入力部３２から入力された外部環境データで補正して、複数本の設備群電力変化曲線情報からなる負荷設備群の設備群電力変化曲線情報群を作成する。
【００４７】
負荷設備群電力変化曲線情報作成部４１は、負荷設備群の類似電力変化曲線情報と負荷設備群の補正電力変化曲線情報とを、補正電力変化曲線情報を優先的に採用する合成を行なって、負荷設備群の設備群電力変化曲線情報を作成する。
【００４８】
ここで補正電力変化曲線情報とは、外部環境データに基づき、予測日時以後の運転条件を推定して算出した電力変化曲線情報である。通常、過去の実際のデータである類似電力変化曲線情報と外部環境データに基づく予測データである補正電力変化曲線情報との間には一致しない部分が生じる。負荷設備群電力変化曲線情報作成部４１は、この一致しない部分については補正電力変化曲線情報を採用し、一致する部分の類似電力変化曲線情報を補正電力変化曲線情報で補正して設備群電力変化曲線情報を作成する。
【００４９】
補正電力変化曲線情報は、負荷設備群電力変化曲線情報作成部４１が、外部環境データに基づきニューラルネットワーク処理して作成される。ニューラルネットワーク処理とは、人間の脳の仕組みを模倣して構築された、パターン認識や予測が可能な情報処理機構である。負荷設備群電力変化曲線情報作成部４１で用いられるニューラルネットワーク処理としては、階層型ネットワークを用いた処理や相互結合型ネットワークを用いた処理が挙げられる。
【００５０】
発電設備群電力変化曲線情報作成部４２は、過去電力変化曲線情報データベース３１から抽出した発電設備群の複数本の類似電力変化曲線情報のそれぞれを、外部環境データ入力部３２から入力された外部環境データで補正して、複数本の設備群電力変化曲線情報からなる発電設備群の設備群電力変化曲線情報群を作成する。
【００５１】
発電設備群電力変化曲線情報作成部４２は、発電設備群の類似電力変化曲線情報と発電設備群の補正電力変化曲線情報とを、補正電力変化曲線情報を優先的に採用する合成を行なって、発電設備群の設備群電力変化曲線情報を作成する。
【００５２】
補正電力変化曲線情報は、負荷設備群電力変化曲線情報作成部４１で説明した概念と同じであるため説明を省略する。
【００５３】
発電設備群電力変化曲線情報作成部４２は、発電設備群の設備群電力変化曲線情報を、電源追従性推定部４３で作成された追従性情報で補正する。
【００５４】
電源追従性推定部４３は、追従性モデル情報データベース中の追従性モデル情報に基づき、所内系統１０全体に対する全ディーゼル発電機２３ａ、２３ｂの稼動状態の経時変化を推定して追従性情報を作成する。追従性情報は、ディーゼル発電機２３ａ、２３ｂの個々に追従性モデル情報を当てはめ、所内系統１０全体としての全ディーゼル発電機２３ａ、２３ｂの追従性を推定するものである。
【００５５】
所内系統電力変化曲線情報作成部５２は、異なる設備群に存在する設備群電力変化曲線情報同士を加算して、複数本の第１の所内系統電力変化曲線情報を作成する。
【００５６】
第１の所内系統電力変化曲線情報は、設備群毎に作成された設備群電力変化曲線情報を異なる設備群間で加算して、所内系統１０全体の電力潮流を算出したものである。
【００５７】
第１の所内系統電力変化曲線情報の作成について具体的に説明する。いま、負荷設備群の設備群電力変化曲線情報群Ａと発電設備群の設備群電力変化曲線情報群Ｂとがあり、負荷設備群の設備群電力変化曲線情報群ＡがＡ１、Ａ２およびＡ３の３本の設備群電力変化曲線情報からなり、発電設備群の設備群電力変化曲線情報群ＢがＢ１、Ｂ２およびＢ３の３本の設備群電力変化曲線情報からなる場合を例にとり説明する。
【００５８】
所内系統電力変化曲線情報作成部５２は、負荷設備群の設備群電力変化曲線情報Ａ１、Ａ２およびＡ３と、発電設備群の設備群電力変化曲線情報Ｂ１、Ｂ２およびＢ３と、を任意、たとえば９通りの組み合わせで合成して第１の所内系統電力変化曲線情報Ｃ１、Ｃ２・・・およびＣ９を作成する。
【００５９】
作成された第１の所内系統電力変化曲線情報Ｃ１、Ｃ２・・・およびＣ９の集合体は第１の所内系統電力変化曲線情報群Ｃを形成する。
【００６０】
第１の増減側電力変化曲線情報作成部５３は、第１の所内系統電力変化曲線情報群から、第１の増加側電力変化曲線情報および第１の減少側電力変化曲線情報を作成する。
【００６１】
第１の所内系統電力変化曲線情報群から第１の増加側電力変化曲線情報および第１の減少側電力変化曲線情報を作成する方法について詳細に説明する。
【００６２】
第１の増減側電力変化曲線情報作成部５３は、はじめに、第１の所内系統電力変化曲線情報群を構成する複数本の第１の所内系統電力変化曲線情報の電力の平均値と標準偏差値を求め、第１の所内系統電力変化曲線情報の電力の平均値からなる第１の所内系統平均電力変化曲線情報を作成する。
【００６３】
第１の増減側電力変化曲線情報作成部５３は、次に、第１の所内系統平均電力変化曲線情報を電力潮流の増加側に標準偏差値分だけシフトさせて第１の所内系統増加側電力変化曲線情報を作成し、第１の所内系統平均電力変化曲線情報を電力潮流の減少側に標準偏差値分だけシフトさせて第１の所内系統減少側電力変化曲線情報を作成する。
【００６４】
第１の増減側電力変化曲線情報作成部５３は、さらに、第１の所内系統増加側電力変化曲線情報および第１の所内系統減少側電力変化曲線情報のそれぞれを予測日時の所定時の電力値からの偏差を示すように変換して第１の増加側電力変化曲線情報および第１の減少側電力変化曲線情報を作成する。
【００６５】
ここで予測日時の所定時の電力値からの偏差を示すように変換する変換処理は、予測日時の所定時の電力値に対する偏差で表す処理である。
【００６６】
横軸を時間軸とし、縦軸を電力潮流の電力値として表した座標において、第１の所内系統平均電力変化曲線情報に予測日時の所定時の電力値からの偏差を示すように変換する変換処理を行なうと、変換処理後の第１の所内系統平均電力変化曲線情報は横軸に平行な直線として表される。変換処理後の第１の所内系統平均電力変化曲線情報は、予測日時の所定時の電力値からなる直線である。予測日時の所定時の電力値からなる直線を、以下、「基準値直線情報」という。
【００６７】
第１の増減側電力変化曲線情報作成部５３は、必要により、第１の所内系統電力変化曲線情報群を構成する各第１の所内系統電力変化曲線情報を予測日時の所定時の電力値からの偏差を示すように変換して、複数本の第２の所内系統電力変化曲線情報を作成する。
【００６８】
予測日時の所定時の電力値からの偏差を示すように変換する変換処理は、第１の所内系統増加側電力変化曲線情報および第１の所内系統減少側電力変化曲線情報から第１の増加側電力変化曲線情報および第１の減少側電力変化曲線情報を作成する変換処理と同じであるため説明を省略する。
【００６９】
第２の所内系統電力変化曲線情報は、第１の増加側電力変化曲線情報および第１の減少側電力変化曲線情報と同じ座標に表すことができる。複数本の第２の所内系統電力変化曲線情報の集合体は第２の所内系統電力変化曲線情報群を形成する。
【００７０】
電力変動情報作成部５４は、第１の増加側電力変化曲線情報および第１の減少側電力変化曲線情報から算出される、予測日時の所定時の電力値からの電力変動の最大変化幅および電力変動の最大変化率の少なくともいずれかのデータを電力変動情報として算出する。
【００７１】
予測日時の所定時の電力値からの電力変動の最大変化幅は、基準値直線情報に対する第１の増加側電力変化曲線情報および第１の減少側電力変化曲線情報の偏差の最大値を意味する。予測日時の所定時の電力値からの電力変動の最大変化幅は、第１の増加側電力変化曲線情報および第１の減少側電力変化曲線情報の少なくともいずれかについて算出される。
【００７２】
予測日時の所定時の電力値からの電力変動の最大変化幅が得られることにより、予測日時の所定時の電力値からの電力潮流の電力値の変動幅を予測することができる。
【００７３】
電力変動の最大変化率は、所定時における、第１の増加側電力変化曲線情報および第１の減少側電力変化曲線情報の、時間の変化に対する電力潮流の電力値の変化の最大値を意味する。第１の増加側電力変化曲線情報および第１の減少側電力変化曲線情報の変化率は、第１の増加側電力変化曲線情報および第１の減少側電力変化曲線情報の接線の傾きである。電力変動の最大変化率は、第１の増加側電力変化曲線情報および第１の減少側電力変化曲線情報の少なくともいずれかについて算出される。
【００７４】
電力変動の最大変化率が得られることにより、予測日時の所定時の電力値からの電力潮流の電力値の変化率の程度を予測することができる。
【００７５】
電力変動情報作成部５４は、必要により、第１の増減側電力変化曲線情報作成部５３で作成された第２の所内系統電力変化曲線情報群中から、電力変動が最大振幅になる第２の所内系統電力変化曲線情報の振動変化形状データ、および電力変動が最大振幅になる第２の所内系統電力変化曲線情報のパルス変化形状データの少なくともいずれかのデータを電力変動情報としてさらに抽出する。
【００７６】
電力変動が最大振幅になる第２の所内系統電力変化曲線情報の振動変化形状データは、第２の所内系統電力変化曲線情報群中の複数本の第２の所内系統電力変化曲線情報のうちから抽出された、電力潮流の電力値の変動が最大振幅になる第２の所内系統電力変化曲線情報の振動変化形状を示すデータである。振動変化形状データは、電力潮流の電力値の変動が最大振幅になる第２の所内系統電力変化曲線情報の曲線形状そのものである。
【００７７】
電力変動が最大振幅になる第２の所内系統電力変化曲線情報の振動変化形状データが得られることにより、電力潮流の電力値の変動の最大振幅の値と、予測日時の所定時の電力値からの電力潮流の電力値の変動幅と、この電力値の変化率の程度とを予測することができる。
【００７８】
電力変動が最大振幅になる第２の所内系統電力変化曲線情報のパルス変化形状データは、第２の所内系統電力変化曲線情報群中の複数本の第２の所内系統電力変化曲線情報のうちから抽出された、電力潮流の電力値の変動が最大振幅になる第２の所内系統電力変化曲線情報のパルス変化形状を示すデータである。パルス変化形状データは、電力潮流の電力値の変動が最大振幅になる第２の所内系統電力変化曲線情報のパルス状の形状を示す。
【００７９】
電力変動が最大振幅になる第２の所内系統電力変化曲線情報のパルス変化形状データが得られることにより、電力潮流の電力値のパルス状の変動部分の最大振幅の値を予測することができる。
【００８０】
電力変動情報作成部５４は、必要により、第１の所内系統電力変化曲線情報群中の第１の所内系統電力変化曲線情報の重なり度合いに応じて、各第１の所内系統電力変化曲線情報の発生確率を算出する。
【００８１】
各第１の所内系統電力変化曲線情報の発生確率を算出することにより、前記予測日時の所定時の電力値からの電力変動の最大変化幅、電力変動の最大変化率、電力変動が最大振幅になる第２の所内系統電力変化曲線情報の振動変化形状データ、および電力変動が最大振幅になる第２の所内系統電力変化曲線情報のパルス変化形状データが発生する確率を算出することができる。
【００８２】
運用リスク値算出部５５は、運用制約条件データベース３５中の運用制約条件データと、機器構成情報データベース３６中の機器構成情報と、第１の増加側電力変化曲線情報と、第１の減少側電力変化曲線情報とに基づき、所内系統１０の電力潮流のシミュレーションを行ない、運用リスク値を算出する。
【００８３】
運用リスク値は、シミュレーションにより得られた所内系統１０の電力潮流が、運用制約条件データに記載される運用制約条件を越える確率として算出される。
【００８４】
余裕度算出部５６は、運用制約条件データに基づき算出される電力供給の上限値と負荷設備群の第１の増加側電力変化曲線情報との間の差分、および、運用制約条件データに基づき算出される電力消費の上限値と発電設備群の第１の増加側電力変化曲線情報との間の差分、の少なくともいずれかを電力の余裕度として算出する。
【００８５】
表示部５７は、液晶パネル、プラズマパネル、ＣＲＴ等からなり、過去電力変化曲線情報データベース３１中の過去電力変化曲線情報や、所内系統電力潮流推定部５１で処理される第１の増加側電力変化曲線情報等の種々の情報を表示する。
【００８６】
警報手段５８は、ブザー等の音を発信する手段であり、運用リスク値や余裕度等の値が所定のしきい値を超える異常値である場合に、音で警報を発する。
【００８７】
次に、図面を参照して電力変動予測システム１の作用を説明する。図３および図４は、電力変動予測システム１の作用を説明する図である。
【００８８】
（類似電力変化曲線情報抽出ステップ）
はじめに、図３に示すように、図示しない入力手段に電力変動を予測する予測日時に関する季節、月、曜日等の所定の抽出条件を入力し、所内系統電力潮流推定部５１中の検索エンジン４５を用いて、過去電力変化曲線情報データベース３１中から、負荷設備群について類似電力変化曲線情報７４ａ、７４ｂおよび７４ｃが抽出され、発電設備群について類似電力変化曲線情報７５ａ、７５ｂおよび７５ｃが抽出される。
【００８９】
ここで、類似電力変化曲線情報７４ａ等の抽出条件は、負荷設備群の類似電力変化曲線情報７４ａおよび発電設備群の類似電力変化曲線情報７５ａがともに８月の第１月曜日であり、負荷設備群の類似電力変化曲線情報７４ｂおよび発電設備群の類似電力変化曲線情報７５ｂがともに８月の第２月曜日であり、負荷設備群の類似電力変化曲線情報７４ｃおよび発電設備群の類似電力変化曲線情報７５ｃがともに８月の第３月曜日であるとする。
【００９０】
類似電力変化曲線情報７４ａ、７４ｂおよび７４ｃの集合体は負荷設備群の類似電力変化曲線情報群７４を形成し、類似電力変化曲線情報７５ａ、７５ｂおよび７５ｃの集合体は発電設備群の類似電力変化曲線情報群７５を形成する。
【００９１】
（外部環境データ入力ステップ）
一方、外部環境データ入力部３２から、気温、風力、日照量等の予測日時に関する外部環境データ７１が入力される。
【００９２】
（設備群電力変化曲線情報作成ステップ）
外部環境データ７１は負荷設備群電力変化曲線情報作成部４１に入力され、負荷設備群電力変化曲線情報作成部４１内でニューラルネットワーク処理９５が行なわれ、図示しない負荷設備群の補正電力変化曲線情報が作成される。
【００９３】
また、外部環境データ７１は発電設備群電力変化曲線情報作成部４２に入力され、発電設備群電力変化曲線情報作成部４２内でニューラルネットワーク処理が行なわれ、図示しない発電設備群の補正電力変化曲線情報が作成される。
【００９４】
負荷設備群電力変化曲線情報作成部４１では、負荷設備群の類似電力変化曲線情報７４ａ、７４ｂおよび７４ｃのそれぞれと、図示しない負荷設備群の補正電力変化曲線情報とが合成され、負荷設備群の設備群電力変化曲線情報７６ａ、７６ｂおよび７６ｃが作成される。負荷設備群の設備群電力変化曲線情報７６ａ、７６ｂおよび７６ｃの集合体は負荷設備群の設備群電力変化曲線情報群７６を形成する。
【００９５】
発電設備群電力変化曲線情報作成部４２では、発電設備群の類似電力変化曲線情報７５ａ、７５ｂおよび７５ｃのそれぞれと、図示しない発電設備群の補正電力変化曲線情報とは合成されるとともに、電源追従性推定部４３で作成された図示しない追従性情報で補正され、発電設備群の設備群電力変化曲線情報７７ａ、７７ｂおよび７７ｃが作成される。発電設備群の設備群電力変化曲線情報７７ａ、７７ｂおよび７７ｃの集合体は発電設備群の設備群電力変化曲線情報群７７を形成する。
【００９６】
（第１の所内系統電力変化曲線情報作成ステップ）
次に、所内系統電力変化曲線情報作成部５２では、負荷設備群の設備群電力変化曲線情報７６ａ、７６ｂおよび７６ｃと、発電設備群の設備群電力変化曲線情報７７ａ、７７ｂおよび７７ｃとが、任意の組み合わせで合成され、第１の所内系統電力変化曲線情報７８ａ、７８ｂおよび７８ｃ等が作成される。
【００９７】
第１の所内系統電力変化曲線情報７８ａ、７８ｂおよび７８ｃ等の集合体は第１の所内系統電力変化曲線情報群７８を形成する。
【００９８】
（第１の増加側電力変化曲線情報および第１の減少側電力変化曲線情報の作成ステップ）
第１の増減側電力変化曲線情報作成部５３では、はじめに、第１の所内系統電力変化曲線情報群７８を構成する第１の所内系統電力変化曲線情報７８ａ、７８ｂおよび７８ｃ等の電力の平均値と標準偏差値が求められる。
【００９９】
第１の増減側電力変化曲線情報作成部５３では、次に、図３のグラフ１０６に示すように、第１の所内系統電力変化曲線情報７８ａ、７８ｂおよび７８ｃ等の電力の平均値で構成された第１の所内系統平均電力変化曲線情報８１が作成される。図３のグラフ１０６は、横軸を時刻とし、縦軸を電力潮流の電力値としたグラフである。
【０１００】
第１の増減側電力変化曲線情報作成部５３では、さらに、図３のグラフ１０６に示すように、第１の所内系統平均電力変化曲線情報８１を電力潮流の増加側に標準偏差値分だけシフトさせた第１の所内系統増加側電力変化曲線情報８２が作成される。
【０１０１】
第１の増減側電力変化曲線情報作成部５３では、また、図３のグラフ１０６に示すように、第１の所内系統平均電力変化曲線情報８１を電力潮流の減少側に標準偏差値分だけシフトさせた第１の所内系統減少側電力変化曲線情報８３が作成される。
【０１０２】
第１の増減側電力変化曲線情報作成部５３では、第１の所内系統増加側電力変化曲線情報８２および第１の所内系統減少側電力変化曲線情報８３のそれぞれに予測日時の所定時の電力値からの偏差を示すように変換され、図３および図４（Ａ）のグラフ１０７に示すように、第１の増加側電力変化曲線情報８７および第１の減少側電力変化曲線情報８８が作成される。
【０１０３】
図３および図４（Ａ）のグラフ１０７は、横軸を時刻とし、縦軸を電力潮流の電力値としたグラフである。図３および図４（Ａ）のグラフ１０７において、縦軸中央から横に伸びた横軸は、予測日時の所定時の電力潮流の電力値からなる直線である。
【０１０４】
第１の所内系統平均電力変化曲線情報８１を予測日時の所定時の電力値からの偏差を示すように変換して作成された基準値直線情報８６は、図３および図４（Ａ）のグラフ１０７に、横軸に平行な直線として表される。
【０１０５】
（第２の所内系統電力変化曲線情報作成ステップ）
第１の増減側電力変化曲線情報作成部５３では、必要により、第１の所内系統電力変化曲線情報群７８を構成する各第１の所内系統電力変化曲線情報７８ａ、７８ｂおよび７８ｃ等が予測日時の所定時の電力値からの偏差を示すように変換され、図示しない複数本の第２の所内系統電力変化曲線情報が作成される。
【０１０６】
（電力変動情報作成ステップ）
電力変動情報作成部５４では、第１の増加側電力変化曲線情報８７および第１の減少側電力変化曲線情報８８から算出される、予測日時の所定時の電力値からの電力変動の最大変化幅および電力変動の最大変化率の少なくともいずれかのデータが電力変動情報８９として算出される。
【０１０７】
最大変化幅および最大変化率について、図４（Ａ）のグラフ１０７を用いて説明する。図４（Ａ）のグラフ１０７において、時刻Ｔ１における電力潮流増加側の最大変化幅はＷ１で表され、時刻Ｔ１における電力潮流減少側の最大変化幅はＷ２で表される。
【０１０８】
図４（Ａ）のグラフ１０７において、時刻Ｔ１における電力潮流増加側の最大変化率はＳ１で表され、時刻Ｔ１における電力潮流減少側の最大変化率はＳ２で表される。
【０１０９】
また、図示しない複数本の第２の所内系統電力変化曲線情報が作成された場合には、電力変動情報作成部５４では、電力変動が最大振幅になる第２の所内系統電力変化曲線情報の振動変化形状データ、および電力変動が最大振幅になる第２の所内系統電力変化曲線情報のパルス変化形状データの少なくともいずれかのデータが電力変動情報８９としてさらに抽出される。
【０１１０】
（電力変動情報の発生確率算出ステップ）
電力変動情報作成部５４では、必要により、第１の所内系統電力変化曲線情報群７８中の第１の所内系統電力変化曲線情報７８ａ、７８ｂおよび７８ｃ等の重なり度合いに応じて、第１の所内系統電力変化曲線情報７８ａ、７８ｂおよび７８ｃ等のそれぞれの発生確率が算出される。
【０１１１】
（運用リスク値算出ステップ）
運用リスク値算出部５５では、運用制約条件データベース３５中の図示しない運用制約条件データと、機器構成情報データベース３６中の図示しない機器構成情報と、第１の増加側電力変化曲線情報８７と、第１の減少側電力変化曲線情報８８とに基づき、所内系統１０の電力潮流のシミュレーションを行ない、運用リスク値が算出される。
【０１１２】
運用リスク値について、図４（Ｂ）を用いて説明する。図４（Ｂ）は、運用リスク値を数値で表した表示例である。図４（Ｂ）の表示例９８は、第１号発電機トリップ確率９６と、受電量オーバー確率９７と、がそれぞれ「％」で表示された例である。
【０１１３】
（余裕度算出ステップ）
余裕度算出部５６では、運用制約条件データベース３５中の図示しない運用制約条件データに基づき算出される電力供給の上限値と負荷設備群の第１の増加側電力変化曲線情報８７との間の差分、および、運用制約条件データに基づき算出される電力消費の上限値と発電設備群の第１の増加側電力変化曲線情報８７との間の差分、の少なくともいずれかが電力の余裕度として算出される。
【０１１４】
電力変動情報、発生確率、運用リスク値、余裕度等は、適宜、表示部５７に表示される。
【０１１５】
電力変動情報、発生確率、運用リスク値、余裕度等は、適宜、警報手段５８から作業者に警報音等で警告される。
【０１１６】
電力変動予測システム１によれば、電力潮流の電力変動を、予測日時の所定時の電力値を基準とした幅をもつ電力変動情報を得ることができるため、予測日時の所定時の電力値からの電力潮流の電力変動を把握し易い。
【０１１７】
また、電力変動予測システム１によれば、第１の所内系統電力変化曲線情報群７８から作成した第１の増加側電力変化曲線情報および第１の減少側電力変化曲線情報に基づいて、電力変動の最大変化幅および電力変動の最大変化率を算出することができ、電力変動に関する多くの情報を得ることができる。
【０１１８】
また、電力変動予測システム１によれば、第１の所内系統電力変化曲線情報群７８から作成した複数本の第２の所内系統電力変化曲線情報に基づいて、電力変動が最大振幅になる第２の所内系統電力変化曲線情報の振動変化形状データ、および電力変動が最大振幅になる第２の所内系統電力変化曲線情報のパルス変化形状データを算出することができ、電力変動に関する多くの情報を得ることができる。
【０１１９】
［第２の実施形態］
本発明に係る電力変動予測システムの第２の実施形態につき図面を参照して説明する。図５は、本発明に係る電力変動予測システムの第２の実施形態１Ａの機能ブロック図である。
【０１２０】
図５に示すように、電力変動予測システム１Ａは、第１の実施形態に示された電力変動予測システム１に対し、所内系統電力潮流推定部５１に代えて、所内系統電力潮流推定部５１Ａを備える点で異なり、他の点は同じである。このため、電力変動予測システム１Ａと第１の実施形態に示された電力変動予測システム１との同じ構成に同じ符号を付し、構成および作用の説明を簡略化または省略する。
【０１２１】
所内系統電力潮流推定部５１Ａは、所内系統電力潮流推定部５１に対し、所内系統電力変化曲線情報作成部５２および第１の増減側電力変化曲線情報作成部５３に代えて、運転パターン作成部６２および第２の増減側電力変化曲線情報作成部６３を備える点で異なり、他の点は同じである。このため、所内系統電力潮流推定部５１Ａと所内系統電力潮流推定部５１との同じ構成に同じ符号を付し、構成および作用の説明を簡略化または省略する。
【０１２２】
（所内系統電力潮流推定部）
運転パターン作成部６２は、負荷設備群電力変化曲線情報作成部４１、発電設備群電力変化曲線情報作成部４２等の設備群電力変化曲線情報作成部で作成された、設備群電力変化曲線情報から、運転パターンを作成する。
【０１２３】
運転パターンは、負荷設備群や発電設備群等の設備群毎に作成され、設備群に属する各設備の時刻に対する稼働状況を示す情報である。運転パターンは、時刻に対する各設備の稼動状態のオン／オフを示す情報に作成される。
【０１２４】
負荷設備群の運転パターンは、負荷設備群電力変化曲線情報作成部４１に基づいて作成される。発電設備群の運転パターンは、発電設備群電力変化曲線情報作成部４２に基づいて作成される。
【０１２５】
第２の増減側電力変化曲線情報作成部６３は、設備群毎の運転パターンに記載された設備の稼動状況に基づいて所内系統１０の電力変動のシミュレーションを行い、第２の増加側電力変化曲線情報と、第２の減少側電力変化曲線情報とを作成する。
【０１２６】
第２の増減側電力変化曲線情報作成部６３は、はじめに、設備群毎の運転パターンに記載された設備の稼動状況に基づいて、各設備を稼動させるシミュレーションを行う。次に、この各設備の稼動のシミュレーション結果を統合して所内系統１０の電力変動のシミュレーションを行う。さらに、所内系統１０の電力変動のシミュレーション結果に基づき、予測日時の所定時の電力値からの電力変動の最大値を示す曲線である第２の増加側電力変化曲線情報および第２の減少側電力変化曲線情報を作成する。
【０１２７】
第２の増加側電力変化曲線情報は、予測日時の所定時の電力値からの電力増加側の電力変動の最大値を示す曲線である。第２の減少側電力変化曲線情報は、予測日時の所定時の電力値からの電力減少側の電力変動の最大値を示す曲線である。
【０１２８】
所内系統電力潮流推定部５１Ａの電力変動情報作成部５４は、第２の増減側電力変化曲線情報作成部６３で作成された第２の増加側電力変化曲線情報および第２の減少側電力変化曲線情報から、予測日時の所定時の電力値からの電力変動の最大変化幅を算出する。
【０１２９】
所内系統電力潮流推定部５１Ａの運用リスク値算出部５５は、運用制約条件データベース３５中の運用制約条件データと、機器構成情報データベース３６中の機器構成情報と、第２の増加側電力変化曲線情報と、第２の減少側電力変化曲線情報とに基づき、所内系統１０の電力潮流のシミュレーションを行ない、運用リスク値を算出する。
【０１３０】
所内系統電力潮流推定部５１Ａの余裕度算出部５６は、運用制約条件データに基づき算出される電力供給の上限値と負荷設備群の第２の増加側電力変化曲線情報との間の差分、および、運用制約条件データに基づき算出される電力消費の上限値と発電設備群の第２の増加側電力変化曲線情報との間の差分、の少なくともいずれかを電力の余裕度として算出する。
【０１３１】
次に、図面を参照して電力変動予測システム１Ａの作用を説明する。図６および図７は、電力変動予測システム１Ａの作用を説明する図である。
【０１３２】
電力変動予測システム１Ａの作用の類似電力変化曲線情報の抽出ステップ、外部環境データの入力ステップ、および設備群電力変化曲線情報の作成ステップは、電力変動予測システム１の作用と同じであるため、説明を省略する。
【０１３３】
（運転パターン作成ステップ）
設備群電力変化曲線情報の作成ステップの後、運転パターン作成部６２では、設備群電力変化曲線情報群から設備群毎の時刻に対する稼働状況を示す運転パターンが作成される。
【０１３４】
図６に示すように、運転パターン作成部６２では、負荷設備群電力変化曲線情報作成部４１で作成された負荷設備群の設備群電力変化曲線情報群７６から負荷設備群の運転パターン９２ａが作成され、発電設備群電力変化曲線情報作成部４２で作成された発電設備群の設備群電力変化曲線情報群７７から、発電設備群の運転パターン９２ｂが作成される。
【０１３５】
負荷設備群の運転パターン９２ａは、装置Ａ、装置Ｂ、装置Ｃ、および装置Ｄの時刻に対する各設備の稼動状態のオン／オフを示す情報の例である。
【０１３６】
発電設備群の運転パターン９２ｂは、発電機Ａ、発電機Ｂ、発電機Ｃ、および発電機Ｄの時刻に対する各設備の稼動状態のオン／オフの例である。
【０１３７】
（第２の増減側電力変化曲線情報作成ステップ）
第２の増減側電力変化曲線情報作成部６３では、負荷設備群の運転パターン９２ａおよび発電設備群の運転パターン９２ｂに基づいて所内系統１０の電力変動のシミュレーションが行われ、第２の増加側電力変化曲線情報８７Ａと第２の減少側電力変化曲線情報８８Ａとが作成される。
【０１３８】
第２の増減側電力変化曲線情報作成部６３では、はじめに、負荷設備群の運転パターン９２ａおよび発電設備群の運転パターン９２ｂに記載された設備の稼動状況に基づいて、各設備を稼動させるシミュレーションが行われる。次に、この各設備の稼動のシミュレーション結果を統合して所内系統１０の電力変動のシミュレーションが行われる。
【０１３９】
第２の増減側電力変化曲線情報作成部６３では、さらに、所内系統１０の電力変動のシミュレーション結果に基づき、図６および図７（Ａ）のグラフ１０７Ａに示すように、予測日時の所定時の電力値からの電力変動の最大値を示す曲線である第２の増加側電力変化曲線情報８７Ａおよび第２の減少側電力変化曲線情報８８Ａが作成される。
【０１４０】
図６および図７（Ａ）のグラフ１０７Ａは、横軸を時刻とし、縦軸を電力潮流の電力値としたグラフである。図６および図７（Ａ）のグラフ１０７Ａ中、８６Ａは、予測日時の所定時の電力値からなる基準値直線情報である。
【０１４１】
図６および図７（Ａ）のグラフ１０７Ａに示すように、第２の増加側電力変化曲線情報８７Ａおよび第２の減少側電力変化曲線情報８８Ａは、横軸を時刻、縦軸を電力潮流の電力値とした座標において、一般的にステップ状の線で表される。
【０１４２】
（電力変動情報作成ステップ）
電力変動情報作成部５４では、第２の増減側電力変化曲線情報作成部６３で作成された第２の増加側電力変化曲線情報８７Ａと、第２の減少側電力変化曲線情報８８Ａとに基づき、基準値直線情報８６からの電力変動の最大変化幅が電力変動情報８９Ａとして算出される。
【０１４３】
最大変化幅について、図７（Ａ）のグラフ１０７Ａを用いて説明する。図７（Ａ）のグラフ１０７Ａにおいて、時刻Ｔ２における電力潮流増加側の最大変化幅はＷ３で表され、時刻Ｔ２における電力潮流減少側の最大変化幅はＷ４で表される。
【０１４４】
（運用リスク値算出ステップ）
運用リスク値算出部５５では、運用制約条件データベース３５中の図示しない運用制約条件データと、機器構成情報データベース３６中の図示しない機器構成情報と、第２の増加側電力変化曲線情報８７Ａと、第２の減少側電力変化曲線情報８８Ａとに基づき、所内系統１０の電力潮流のシミュレーションを行ない、運用リスク値が算出される。
【０１４５】
運用リスク値について、図７（Ｂ）を用いて説明する。図７（Ｂ）は、運用リスク値を数値で表した表示例である。図７（Ｂ）の表示例９８Ａは、所内系統電力潮流推定部５１Ａの運用リスク値算出部５５で算出された、第１号発電機トリップ確率９６Ａと、受電量オーバー確率９７Ａと、がそれぞれ「％」で表示された例である。
【０１４６】
（余裕度算出ステップ）
余裕度算出部５６では、運用制約条件データベース３５中の図示しない運用制約条件データに基づき算出される電力供給の上限値と負荷設備群の第２の増加側電力変化曲線情報８７Ａとの間の差分、および、運用制約条件データに基づき算出される電力消費の上限値と発電設備群の第２の増加側電力変化曲線情報８７Ａとの間の差分、の少なくともいずれかが電力の余裕度として算出される。
【０１４７】
電力変動情報、発生確率、運用リスク値、余裕度等は、適宜、表示部５７に表示される。
【０１４８】
電力変動情報、発生確率、運用リスク値、余裕度等は、適宜、警報手段５８から作業者に警報音等で警告される。
【０１４９】
電力変動予測システム１Ａによれば、電力潮流の電力変動を、予測日時の所定時の電力値を基準とした幅をもつ電力変動情報を得ることができるため、予測日時の所定時からの電力潮流の電力変動を把握し易い。
【０１５０】
また、電力変動予測システム１Ａによれば、設備群毎の運転パターンに基づいて、電力変動の最大変化幅を算出するため、設備群を構成する設備毎の電力変動に関する情報を得やすい。
【０１５１】
［第３の実施形態］
本発明に係る電力変動予測システムの第３の実施形態につき図面を参照して説明する。図８は、本発明に係る電力変動予測システムの第３の実施形態１Ｂの機能ブロック図である。
【０１５２】
図８に示すように、電力変動予測システム１Ｂは、第１の実施形態に示された電力変動予測システム１に対し、外部環境データ入力部３２と過去電力変化曲線情報データベース３１と追従性モデル情報データベース３３とを備えない点、および所内系統電力潮流推定部５１に代えて、所内系統電力潮流推定部５１Ｂを備える点、で異なり、他の点は同じである。このため、電力変動予測システム１Ｂと第１の実施形態に示された電力変動予測システム１との同じ構成に同じ符号を付し、構成および作用の説明を簡略化または省略する。
【０１５３】
所内系統電力潮流推定部５１Ｂは、所内系統電力潮流推定部５１に対し、過去電力変化曲線情報検索手段としての検索エンジン４５と負荷設備群電力変化曲線情報作成部４１と発電設備群電力変化曲線情報作成部４２と電源追従性推定部４３と所内系統電力変化曲線情報作成部５２と第１の増減側電力変化曲線情報作成部５３とを備えない点、および第３の増減側電力変化曲線情報作成部６８を備える点、で異なり、他の点は同じである。このため、所内系統電力潮流推定部５１Ｂと所内系統電力潮流推定部５１との同じ構成に同じ符号を付し、構成および作用の説明を簡略化または省略する。
【０１５４】
（所内系統電力潮流推定部）
第３の増減側電力変化曲線情報作成部６８は、機器構成情報に基づいて所内系統１０の電力変動のシミュレーションを行い、第３の増加側電力変化曲線情報と、第３の減少側電力変化曲線情報とを作成する。
【０１５５】
第３の増減側電力変化曲線情報作成部６８は、はじめに、機器構成情報に記載された設備から電力変動が最大になる設備を設備群毎に選択する。電力変動が最大になる設備とは、たとえば、発電設備群中で最大発電量の発電機や、負荷設備群中で最大消費電力の電力負荷設備である。
【０１５６】
第３の増減側電力変化曲線情報作成部６８は、次に、この設備群毎に選択された設備のみに基づいて電力変動のシミュレーションを行い、このシミュレーション結果を所内系統１０の電力変動とみなす。
【０１５７】
第３の増減側電力変化曲線情報作成部６８は、さらに、所内系統１０の電力変動のシミュレーション結果に基づき、予測日時の所定時の電力値からの電力変動の最大値を示す曲線である第３の増加側電力変化曲線情報および第３の減少側電力変化曲線情報を作成する。
【０１５８】
第３の増加側電力変化曲線情報は、予測日時の所定時の電力値からの電力増加側の電力変動の最大値を示す曲線である。第３の減少側電力変化曲線情報は、予測日時の所定時の電力値からの電力減少側の電力変動の最大値を示す曲線である。
【０１５９】
所内系統電力潮流推定部５１Ｂの電力変動情報作成部５４は、第３の増減側電力変化曲線情報作成部６８で作成された第３の増加側電力変化曲線情報および第３の減少側電力変化曲線情報から、予測日時の所定時の電力値からの電力変動の最大変化幅を算出する。
【０１６０】
所内系統電力潮流推定部５１Ｂの運用リスク値算出部５５は、運用制約条件データベース３５中の運用制約条件データと、機器構成情報データベース３６中の機器構成情報と、第３の増加側電力変化曲線情報と、第３の減少側電力変化曲線情報とに基づき、所内系統１０の電力潮流のシミュレーションを行ない、運用リスク値を算出する。
【０１６１】
所内系統電力潮流推定部５１Ｂの余裕度算出部５６は、運用制約条件データに基づき算出される電力供給の上限値と負荷設備群の第３の増加側電力変化曲線情報との間の差分、および、運用制約条件データに基づき算出される電力消費の上限値と発電設備群の第３の増加側電力変化曲線情報との間の差分、の少なくともいずれかを電力の余裕度として算出する。
【０１６２】
次に、図面を参照して電力変動予測システム１Ｂの作用を説明する。図９は、電力変動予測システム１Ｂの作用を説明する図である。
【０１６３】
（第３の増減側電力変化曲線情報作成ステップ）
第３の増減側電力変化曲線情報作成部６８では、機器構成情報データベース３６中の機器構成情報９１に基づいて所内系統１０の電力変動のシミュレーションが行われ、第３の増加側電力変化曲線情報８７Ｂと、第３の減少側電力変化曲線情報８８Ｂとが作成される。
【０１６４】
第３の増減側電力変化曲線情報作成部６８では、はじめに、機器構成情報９１に記載された設備から電力変動が最大になる設備を設備群毎に選択する。機器構成情報９１に示された設備において、電力変動が最大になる負荷設備が電力負荷設備１４ａであり、電力変動が最大になる発電設備がディーゼル発電機２３ａであるとする。
【０１６５】
第３の増減側電力変化曲線情報作成部６８では、次に、この電力負荷設備１４ａおよびディーゼル発電機２３ａのみに基づいて電力変動のシミュレーションが行われ、このシミュレーション結果が所内系統１０の電力変動とみなされる。
【０１６６】
第３の増減側電力変化曲線情報作成部６８では、さらに、所内系統１０の電力変動のシミュレーション結果に基づき、図９および図７（Ａ）のグラフ１０７Ｂに示すように、予測日時の所定時の電力値からの電力変動の最大値を示す曲線である第３の増加側電力変化曲線情報８７Ｂおよび第３の減少側電力変化曲線情報８８Ｂが作成される。
【０１６７】
図９および図７（Ａ）のグラフ１０７Ｂは、横軸を時刻とし、縦軸を電力潮流の電力値としたグラフである。図９および図７（Ａ）のグラフ１０７Ｂ中、８６Ｂは、予測日時の所定時の電力値からなる基準値直線情報である。
【０１６８】
図９および図７（Ａ）のグラフ１０７Ｂに示すように、第３の増加側電力変化曲線情報８７Ｂおよび第３の減少側電力変化曲線情報８８Ｂは、横軸を時刻、縦軸を電力潮流の電力値とした座標において、一般的にステップ状の線で表される。
【０１６９】
（電力変動情報作成ステップ）
電力変動情報作成部５４では、第３の増減側電力変化曲線情報作成部６８で作成された第３の増加側電力変化曲線情報８７Ｂと、第３の減少側電力変化曲線情報８８Ｂとに基づき、基準値直線情報８６からの電力変動の最大変化幅が電力変動情報８９Ｂとして算出される。
【０１７０】
最大変化幅について、図７（Ａ）のグラフ１０７Ｂを用いて説明する。図７（Ａ）のグラフ１０７Ｂにおいて、時刻Ｔ２における電力潮流増加側の最大変化幅はＷ５で表され、時刻Ｔ２における電力潮流減少側の最大変化幅はＷ６で表される。
【０１７１】
（運用リスク値算出ステップ）
運用リスク値算出部５５では、運用制約条件データベース３５中の図示しない運用制約条件データと、機器構成情報データベース３６中の図示しない機器構成情報と、第３の増加側電力変化曲線情報８７Ｂと、第３の減少側電力変化曲線情報８８Ｂとに基づき、所内系統１０の電力潮流のシミュレーションを行ない、運用リスク値が算出される。
【０１７２】
運用リスク値について、図７（Ｂ）を用いて説明する。図７（Ｂ）は、運用リスク値を数値で表した表示例を示す。図７（Ｂ）の表示例９８Ｂは、所内系統電力潮流推定部５１Ｂの運用リスク値算出部５５で算出された、第１号発電機トリップ確率９６Ｂと、受電量オーバー確率９７Ｂと、がそれぞれ「％」で表示された例である。
【０１７３】
（余裕度算出ステップ）
余裕度算出部５６では、運用制約条件データベース３５中の図示しない運用制約条件データに基づき算出される電力供給の上限値と負荷設備群の第３の増加側電力変化曲線情報８７Ｂとの間の差分、および、運用制約条件データに基づき算出される電力消費の上限値と発電設備群の第３の増加側電力変化曲線情報８７Ｂとの間の差分、の少なくともいずれかが電力の余裕度として算出される。
【０１７４】
電力変動情報、発生確率、運用リスク値、余裕度等は、適宜、表示部５７に表示される。
【０１７５】
電力変動情報、発生確率、運用リスク値、余裕度等は、適宜、警報手段５８から作業者に警報音等で警告される。
【０１７６】
電力変動予測システム１Ｂによれば、電力潮流の電力変動を、予測日時の所定時の電力値を基準とした幅をもつ電力変動情報を得ることができるため、予測日時の所定時からの電力潮流の電力変動を把握し易い。
【０１７７】
また、電力変動予測システム１Ｂによれば、機器構成情報中に記載された電力変動が最大になる設備の電力変動のシミュレーションに基づいて、電力変動の最大変化幅を算出するため、電力変動に関する情報を容易に得ることができる。
【０１７８】
電力変動予測システム１、電力変動予測システム１Ａ、および電力変動予測システム１Ｂは、発電設備群および負荷設備群の少なくともいずれかを備えていればよい。
【０１７９】
電力変動予測システム１、電力変動予測システム１Ａ、および電力変動予測システム１Ｂが発電設備群および負荷設備群のいずれかのみを備えるときは、設備群電力変化曲線情報作成部は、負荷設備群の設備群電力変化曲線情報群７６または発電設備群の設備群電力変化曲線情報群７７を作成する。
【０１８０】
電力変動予測システム１において、負荷設備群の設備群電力変化曲線情報群７６または発電設備群の設備群電力変化曲線情報群７７のみが作成されるときは、負荷設備群の設備群電力変化曲線情報群７６または発電設備群の設備群電力変化曲線情報群７７がそのまま第１の所内系統電力変化曲線情報群７８として用いられる。
【図面の簡単な説明】
【０１８１】
【図１】本発明に係る電力変動予測システムが用いられる所内系統の一例を示す図。
【図２】本発明に係る電力変動予測システムの第１の実施形態の機能ブロック図。
【図３】本発明に係る電力変動予測システムの第１の実施形態の作用を説明する図。
【図４】本発明に係る電力変動予測システムの第１の実施形態の作用を説明する図。
【図５】本発明に係る電力変動予測システムの第２の実施形態の機能ブロック図。
【図６】本発明に係る電力変動予測システムの第２の実施形態の作用を説明する図。
【図７】本発明に係る電力変動予測システムの第２の実施形態の作用を説明する図。
【図８】本発明に係る電力変動予測システムの第３の実施形態の機能ブロック図。
【図９】本発明に係る電力変動予測システムの第３の実施形態の作用を説明する図。
【符号の説明】
【０１８２】
１、１Ａ、１Ｂ  電力変動予測システム
５  電力会社の系統
１０  所内系統
１１  受電点
１２  遮断機
１３  所内系統母線
１４ａ、１４ｂ、１４ｃ、１４ｄ、１４ｅ、１４ｆ  電力負荷設備
１５  遮断機
１７  風力発電設備
１８  出力制御装置
１９  太陽光発電設備
２０  出力制御装置
２１ａ、２１ｂ  サブ母線
２２  電力貯蔵設備
２３ａ、２３ｂ  ディーゼル発電機（自家発電設備）
３１  過去電力変化曲線情報データベース
３２  外部環境データ入力部
３３  追従性モデル情報データベース
３５  運用制約条件データベース
３６  機器構成情報データベース
４１  負荷設備群電力変化曲線情報作成部（設備群電力変化曲線情報作成部）
４２  発電設備群電力変化曲線情報作成部（設備群電力変化曲線情報作成部）
４３  電源追従性推定部
４５  検索エンジン（過去電力変化曲線情報検索手段）
５１  所内系統電力潮流推定部
５２  所内系統電力変化曲線情報作成部
５３  第１の増減側電力変化曲線情報作成部
５４  電力変動情報作成部
５５  運用リスク値算出部
５６  余裕度算出部
５７  表示部
５８  警報手段
６２  運転パターン作成部
６３  第２の増減側電力変化曲線情報作成部
６８  第３の増減側電力変化曲線情報作成部
７１  外部環境データ
７４  負荷設備群の類似電力変化曲線情報群
７４ａ、７４ｂ、７４ｃ  負荷設備群の類似電力変化曲線情報
７５  発電設備群の類似電力変化曲線情報群
７５ａ、７５ｂ、７５ｃ  発電設備群の類似電力変化曲線情報
７６  負荷設備群の設備群電力変化曲線情報群
７６ａ、７６ｂ、７６ｃ  負荷設備群の設備群電力変化曲線情報
７７  発電設備群の設備群電力変化曲線情報群
７７ａ、７７ｂ、７７ｃ  発電設備群の設備群電力変化曲線情報
７８  第１の所内系統電力変化曲線情報群
７８ａ、７８ｂ、７８ｃ、７８ｄ、７８ｅ、７８ｆ  第１の所内系統電力変化曲線情報
８１  第１の所内系統平均電力変化曲線情報
８２  第１の所内系統増加側電力変化曲線情報
８３  第１の所内系統減少側電力変化曲線情報
８６  基準値直線情報
８７  第１の増加側電力変化曲線情報
８７Ａ  第２の増加側電力変化曲線情報
８７Ｂ  第３の増加側電力変化曲線情報
８８  第１の減少側電力変化曲線情報
８８Ａ  第２の減少側電力変化曲線情報
８８Ｂ  第３の減少側電力変化曲線情報
８９、８９Ａ、８９Ｂ  電力変動情報
９０  運用制約条件データ
９１  機器構成情報
９２ａ  負荷設備群の運転パターン
９２ｂ  発電設備群の運転パターン
９５  ニューラルネットワーク処理
９６、９６Ａ、９６Ｂ、９７、９７Ａ、９７Ｂ  運用リスク値
９８、９８Ａ、９８Ｂ  運用リスク値表示
１０６  第１の所内系統平均電力変化曲線情報等が記載されたグラフ
１０７  第１の増加側電力変化曲線情報等が記載されたグラフ
１０７Ａ  第２の増加側電力変化曲線情報等が記載されたグラフ
１０７Ｂ  第３の増加側電力変化曲線情報等が記載されたグラフ
【図１】
0004864839.tif 000002
【図２】
0004864839.tif 000003
【図３】
0004864839.tif 000004
【図４】
0004864839.tif 000005
【図５】
0004864839.tif 000006
【図６】
0004864839.tif 000007
【図７】
0004864839.tif 000008
【図８】
0004864839.tif 000009
【図９】
0004864839.tif 000010